(57)【要約】【課題】  種々の建造物等に搬送、仮設が容易な移動用足場を提供する。【解決手段】  取付対象に固定するための固定用部材３８およびこの固定用部材３８に対して回動可能に枢支された回動部材３９からなる組み立てブラケット２２と、回動部材３９に着脱可能取り付けられる通路部材２１とを備えており、上記固定用部材３８に対する回動部材３９の取り付けが、通路部材２１の水平回動が可能となるようにされており、上記通路部材２１が、相互に分離可能な伸縮梯子２５および伸縮足場板２６と、着脱および分割が可能な手摺り２３とを有している。【選択図】  図４
2008095373.tif 000002
【特許請求の範囲】
【請求項１】
取付対象に固定するための固定用部材と、
該固定用部材に対して回動しうるように取り付けられる回動部材と、
該回動部材に取り付けられる、人が通行するための通路部材とを備えており、
上記固定用部材に対する回動部材の取り付けが、回動部材に取り付けられた通路部材がその歩行面内において回動しうるようになされており、
上記通路部材がその長手方向に伸縮可能に構成されてなる移動用足場。
【請求項２】
上記固定用部材に対する回動部材の取り付け、および、上記回動部材に対する通路部材の取り付けのうち、少なくとも一方が着脱可能である請求項１記載の移動用足場。
【請求項３】
上記回動部材が、その一端部を上記固定用部材に枢支されており、且つ、収容位置と該収容位置から任意の角度をなすように開いた開き位置とに回動可能に構成されており、
上記回動部材に、上記通路部材の基端部が着脱可能に嵌着される嵌着部が形成されてなる請求項２記載の移動用足場。
【請求項４】
上記固定用部材および回動部材のうちの一方に、回動部材がその収容位置から所定角度開いた位置で開き方向の回動を停止するためのストッパが配設されてなる請求項３記載の移動用足場。
【請求項５】
伸長した状態の上記通路部材の長手方向に沿って、着脱可能に取り付けられる手摺り部材をさらに備えており、該手摺り部材が連結および分割が可能な部品群から構成されてなる請求項１記載の移動用足場。
【請求項６】
上記通路部材の上面に、手摺り部材の脚部の下端が嵌着されうる嵌着部が形成されてなる請求項５記載の移動用足場。
【請求項７】
上記通路部材の先端部に、該通路部材が架け渡される対象に係合する作用位置と係合しない非作用位置とに変位しうる係合部材が配設されてなる請求項１記載の移動用足場。
【請求項８】
上記通路部材が、その長手方向に伸縮可能な伸縮梯子と、該伸縮梯子の上に搭載されるその長手方向に伸縮可能な伸縮足場板とを有してなる、請求項１から３のうちのいずれか一の項に記載の移動用足場。
【請求項９】
手動ウインチと、該手動ウインチによって巻き取られ且つ送り出されるワイヤーロープと、該ワイヤーロープの先端に取り付けられる係合部材と、先端に上記ワイヤーロープが係合される滑車を備えた、取付対象に着脱可能に取り付けられる支持部材とをさらに備えてなる請求項１〜８のうちのいずれか一の項に記載の移動用足場。
【請求項１０】
請求項１〜９のうちいずれか一の項に記載の移動用足場を機械式駐車装置に仮設する方法であって、
上記移動用足場を機械式駐車装置内の一の駐車区画に搬送する搬送工程と、
上記移動用足場の固定用部材を、上記駐車区画における取付対象である構造材に、移動用足場の回動部材が固定用部材に対して水平面内で回動しうるように取り付ける取り付け工程と、
上記通路部材を伸長させる伸長工程と、
上記回動部材を上記通路部材と一体で所望の角度回動させて、通路部材の先端を機械式駐車装置の所望の部位に至らせる足場設置工程とを含んでなる、移動用足場の仮設方法。
【請求項１１】
上記移動用足場として請求項８記載の移動用足場を用い、
上記回動部材に、通路部材を構成する伸縮梯子および伸縮足場板の端部をそれぞれ取り付ける工程とをさらに含んでおり、
上記伸長工程において、伸縮梯子の上に伸縮足場板を重ね合わせ、伸縮梯子と伸縮足場板とを伸長させたうえで、この両者を互いに固定する、請求項１０記載の移動用足場の仮設方法。
【請求項１２】
上記移動用足場として請求項９記載の移動用足場を用い、
上記搬送工程が、上記手動ウインチの支持部材を駐車区画における構造材に取り付ける工程と、手動ウインチによってワイヤーロープを巻き取ることにより、係合部材に係合された移動用足場を駐車区画に吊り上げる工程とを含んでおり、
上記足場設置工程が、伸長された通路部材の先端側に上記係合部材を係合させた上で、手動ウインチによってワイヤーロープを巻き取ることにより、回動部材を上記通路部材と一体で回動させることを含んでなる、請求項１０または１１記載の移動用足場の仮設方法。
【請求項１３】
上記機械式駐車装置が、車両搭載するパレットを搬送するためのエレベータと、該エレベータの昇降路の両側の棚柱に配設された上下複数段の駐車棚とを備えたエレベータ式駐車装置であり、上記取付対象の構造材が上記棚柱であり、
上記伸長工程において、上記通路部材をパレットの昇降路側車路面上にその長手方向に伸長させ、
上記足場設置工程において、通路部材を旋回させてその先端を昇降路を挟んで対向する駐車棚上のパレットに至らせ、該通路部材の先端を該パレットに係合させる、請求項１２記載の移動用足場の仮設方法。
【発明の詳細な説明】
【技術分野】
【０００１】
本発明は移動用足場（歩廊ともいう）およびその仮設方法に関する。さらに詳しくは、機械式駐車装置等、様々な建造物や構造物における吹き抜け空間等を人が渡るための移動用足場、および、この移動用足場を上記建造物等に仮設するための方法に関する。
【背景技術】
【０００２】
機械式駐車装置の一例である一般的なエレベータ式駐車装置は、図１に示すように、エレベータ３の昇降路４を挟んで左右両側に駐車区画としての上下多数段の駐車棚６が配設されたものである。昇降路４の最下部に入出庫階７が形成されており、駐車塔２の最上部には機械室１０が形成され、そこにエレベータ３の昇降駆動装置１１が設置されている。車両Ｍは入出庫階７において車両搭載用のパレット５に乗り入れまた乗り出す。エレベータ３はこのパレット５を、呼び出された駐車棚６との間で受け渡しする。
【０００３】
このような機械式駐車装置には定期的な保守点検が義務付けられている。このとき、エレベータ３やエレベータ３に設置されたパレット移載装置（図２に符号３ａで示す）およびロッキング装置（図示せず）、並びに、各駐車棚のセンサ等（図示せず）の保守点検や修理が必要になることがある。このため、図１に示すように、左右の駐車区画ごとに駐車塔２内の適所（エレベータ３やカウンターウエイト９と干渉しない隙間）に全高にわたって梯子１７が常設されている。
【０００４】
保守点検時に、作業者はこの梯子１７を上り下りして機械室１０、エレベータ３、各駐車棚６に移動する。左右の駐車区画間を移動するにも、一旦はこの梯子１７を上り下りして最下部たる入出庫階７または最上部たる機械室１０を経由して行く必要がある。保守点検の最中には上記エレベータ３を使用することや、駐車塔２の梁１３等を伝って移動することは、安全上許されないからである。かといって、左右の駐車区画を人が容易に渡り歩けるような足場を常設することはスペース上困難である。
【０００５】
一方、ボイラーサイドのような、常設の作業足場を設置しにくい場所に仮設する簡易な作業足場が提案されている（特許文献１参照）。しかしながら、この作業足場は、それを設置する区域に設置対象たる梁や手摺りのような単管が必要となる。さらに、この作業足場は跳ね上げ橋のように歩廊を上下に揺動させる必要がある。ところが、前述したような駐車装置では、適当な位置に露出した梁や手摺り等は存在しない。また、上記駐車装置１は多数の駐車用パレット５が狭い間隔で上下に配置されているため、上下に揺動するような足場は使用することが困難である。
【特許文献１】特開平７−９７８５７号公報
【発明の開示】
【発明が解決しようとする課題】
【０００６】
本発明は、かかる課題を解決するためになされたものであり、搬送、取り付けおよび撤去が容易な移動用足場を提供することを目的としている。さらに、機械式駐車装置等、常設の足場を設置することが種々の理由から困難である対象であっても上記移動用足場を容易に仮設するための方法を提供することを目的としている。
【課題を解決するための手段】
【０００７】
本発明の移動用足場は、
取付対象に固定するための固定用部材と、この固定用部材に対して回動しうるように取り付けられる回動部材と、この回動部材に取り付けられる、人が通行するための通路部材とを備えており、
上記固定用部材に対する回動部材の取り付けが、回動部材に取り付けられた通路部材がその歩行面内において回動しうるようになされており、上記通路部材がその長手方向に伸縮可能に構成されている。
【０００８】
このように、通路部材がその歩行面内に回動するので、たとえば機械式駐車装置のごとき上下スペースが多数段に区切られたところでも、水平面内に回動させることができ、容易に所望位置に架け渡すことができる。また、伸縮可能であるため、搬送および取扱いが容易となる。
【０００９】
上記固定用部材に対する回動部材の取り付け、および、上記回動部材に対する通路部材の取り付けのうち、少なくとも一方を着脱可能に構成することができる。このようにすれば、分割、組み立てが可能なため、分割状態で搬送が容易となる。
【００１０】
上記回動部材を、その一端部において上記固定用部材に枢支し、且つ、収容位置とこの収容位置から任意の角度をなすように開いた開き位置とに回動可能に構成し、上記回動部材に、上記通路部材の基端部が着脱可能に嵌着される嵌着部を形成することができる。
【００１１】
上記固定用部材および回動部材のうちの一方に、回動部材がその収容位置から所定角度開いた位置で開き方向の回動を停止するためのストッパを配設することができる。このように構成することにより、通路部材を所望の方向に向くように旋回させたうえで固定する作業が容易となる。
【００１２】
伸長した状態の上記通路部材の長手方向に沿って着脱可能に取り付けられる手摺り部材をさらに備え、この手摺り部材を連結および分割が可能な部品群から構成することができる。
【００１３】
上記通路部材の上面に、手摺り部材の脚部の下端が嵌着されうる嵌着部を形成することができる。
【００１４】
上記通路部材の先端部に、この通路部材が架け渡される対象に係合する作用位置と係合しない非作用位置とに変位しうる係合部材を配設することができる。この係合部材としては、たとえば車両搭載用のパレットの側端隆起部に係合しうるように屈曲された板部材等が採用されうる。係合対象に応じてその形状構造を選択することができる。かかる係合部材を設けることにより、通路部材の架橋を安定させることができる。
【００１５】
上記通路部材を、主に、その長手方向に伸縮可能な伸縮梯子とこの伸縮梯子の上に搭載されるその長手方向に伸縮可能な伸縮足場板とから構成することができる。この構成により、伸縮梯子が主に通路部材の強度を担い、伸縮足場板は主に人が通行するための歩行平面を提供することになる。また、通路部材が軽量部品に分離可能となり、搬送が容易となる。
【００１６】
以上の移動用足場に、手動ウインチと、この手動ウインチによって巻き取られ且つ送り出されるワイヤーロープと、このワイヤーロープの先端に取り付けられる係合部材と、先端に上記ワイヤーロープが係合される滑車を備えた、取付対象に着脱可能に取り付けられる支持部材とをさらに備えることができる。これらの部材により、たとえば地上から上層階へ通路部材等を引き上げることができる。さらに、上記支持部材を適当な取付対象に固定し、組み立て後の通路部材の先端に上記係合部材を係合させ、手動ウインチで上記ワイヤーロープを操作すれば、比較的容易に通路部材を所望方向に旋回させることもできる。
【００１７】
本発明の移動用足場の仮設方法は、
以上説明したうちのいずれか一の移動用足場を機械式駐車装置に仮設する方法であって、
上記移動用足場を機械式駐車装置内の一の駐車区画に搬送する搬送工程と、
上記移動用足場の固定用部材を、上記駐車区画における取付対象である構造材に、移動用足場の回動部材が固定用部材に対して水平面内で回動しうるように取り付ける取り付け工程と、
上記通路部材を伸長させる伸長工程と、
上記回動部材を上記通路部材と一体で所望の角度回動させて、通路部材の先端を機械式駐車装置の所望の部位に至らせる足場設置工程とを含んでいる。
【００１８】
上記仮設方法のうち、とくに、通路部材として伸縮梯子と伸縮足場板とを組み合わせたたものを用いた場合、
上記回動部材に、通路部材を構成する伸縮梯子および伸縮足場板の端部をそれぞれ取り付ける工程とをさらに含み、上記伸長工程において、伸縮梯子の上に伸縮足場板を重ね合わせ、伸縮梯子と伸縮足場板とを伸長させたうえで、この両者を互いに固定することができる。
【００１９】
上記仮設方法のうち、とくに、移動用足場として前述した手動ウインチを備えた移動用足場を用い、
上記搬送工程が、上記手動ウインチの支持部材を駐車区画における構造材に取り付ける工程と、手動ウインチによってワイヤーロープを巻き取ることにより、係合部材に係合された移動用足場を駐車区画に吊り上げる工程とを含み、
上記足場設置工程が、伸長された通路部材の先端側に上記係合部材を係合させた上で、手動ウインチによってワイヤーロープを巻き取ることにより、回動部材を上記通路部材と一体で回動させることを含めることができる。
【００２０】
上記仮設方法のうち、上記機械式駐車装置が、車両搭載するパレットを搬送するためのエレベータと、該エレベータの昇降路の両側の棚柱に配設された上下複数段の駐車棚とを備えたエレベータ式駐車装置であり、上記取付対象の構造材が上記棚柱である場合、
上記伸長工程において、上記通路部材をパレットの昇降路側車路面上にその長手方向に伸長させ、
上記足場設置工程において、通路部材を旋回させてその先端を昇降路を挟んで対向する駐車棚上のパレットに至らせ、該通路部材の先端を該パレットに係合させることができる。
【発明の効果】
【００２１】
本発明の移動用足場によれば、その通路部材がその歩行面内において回動しうるので、上下スペースが多数段に区切られたところでも、水平面内に回動させることができ、容易に所望位置に架け渡すことができる。また、伸縮可能であるため、搬送および取扱いが容易となる。また、上記通路部材を着脱可能な部品から構成することにより、軽量コンパクトに小分けしてまとめることができるので、たとえば機械式駐車装置において、エレベータやカウンターウエイトの昇降領域以外の狭い空間であっても昇降運搬することが可能となる。
【発明を実施するための最良の形態】
【００２２】
添付の図面を参照しながら本発明にかかる移動用足場およびその仮設方法の実施形態を説明する。
【００２３】
図１は本発明の移動用足場が適用されうる対象の一例としてのエレベータ式駐車装置を示す縦断面図である。図２は図１のＩＩ−ＩＩ線断面図であり、駐車棚が配設された駐車階およびエレベータを示している。
【００２４】
図１および図２に示すように、エレベータ式駐車装置（以下、単に駐車装置ともいう）１は、駐車塔２と、この駐車塔２の内部に配設された車両Ｍを昇降して搬送するエレベータ３とを備えている。図示のごとく駐車塔２の内部には、エレベータ３の昇降路４の両側の駐車区画に、車両搭載用のパレット５を載置することができる上下複数段の駐車棚６が配設されている。エレベータ３がこのパレット５を駐車塔２の入出庫階７と任意に指定された駐車棚６との間を昇降させて車両Ｍを搬送する。エレベータ３はワイヤーロープ８によって吊り下げられており、このワイヤーロープ８の他端にはカウンターウエイト９が連結されている。また、駐車塔２の最上部の機械室１０には、ワイヤーロープ８を巻き上げ繰り出してエレベータ３を昇降させる昇降駆動装置１１が備えられている。符号７ａは入出庫口である。
【００２５】
駐車塔２は、その四隅に立設された主柱１２と、隣接する主柱１２同士の間に適宜上下間隔をおいて水平方向に架設された梁１３と、上下に隣接する梁１３同士の間に斜めに掛け渡されたトラス構造のブレース１４と、これら骨組みの外側に貼設された外壁パネル１５とから構成されている。昇降路４の両側の各駐車区画の四隅にはそれぞれ棚柱１６が立設されている。昇降路４の近傍に立設されているのが内側棚柱１６ａであり、外方に立設されているのが外側棚柱１６ｂである。各駐車区画における四本の棚柱によって上下複数段の駐車棚６が支持されている。
【００２６】
この駐車装置１の駐車塔２内には、作業者が保守点検作業等のために各駐車棚６や機械室１０に行くときに使用する梯子１７が常設されている。設置場所は、車両Ｍの入出庫の障害にならず、エレベータ３やカウンターウエイト９と干渉しない部位である。具体的には、図１、２に示すように、駐車棚６と梁１３等との隙間であり、入出庫階７から機械室１０に至るまで、駐車塔全高にわたって設置されている。
【００２７】
そして、図１に二点鎖線で示すように、中間階における左右の駐車棚６間を移動するためには移動用足場２０が使用される。この移動用足場２０を使用すれば、入出庫階７や機械室１０を経由する必要なく、昇降路４を越えて反対側の駐車棚６に移動することができる。以下、図３〜図７を参照しながら移動用足場２０を説明する。
【００２８】
図３は、同一階の左の駐車棚６のパレット５と右の駐車棚６のパレット５とに架け渡された移動用足場２０を示す平面図である。図４は図３のＩＶ−ＩＶ線矢印方向に見た移動用足場２０の側面図である。本実施形態の移動用足場２０は、通路部材２１と、この通路部材２１が取り付けられる組み立てブラケット２２と、手摺り２３と、搬送装置２４とから構成されている。通路部材２１は人が通行するためのものであり、組み立てブラケット２２は通路部材２１を駐車塔２内の所望の部位に取り付けるためのものである。手摺り２３は人が通路部材２１上を通行するときに手でもって身体を安定させるためのものである。搬送装置２４は通路部材２１や組み立てブラケット２２を所望の階の駐車棚６等の高所に持ち上げるためのものであり、また、所望位置に組み込まれた通路部材２１を所望の方向に変位させるためにも利用される。
【００２９】
通路部材２１は、その長手方向に伸縮可能に構成された伸縮梯子２５と、やはり長手方向に伸縮可能に構成された伸縮足場板２６とから構成されている。図３および図４には、伸縮梯子２５および伸縮足場板２６がいずれも伸長された状態で示されている。図示のごとく、伸縮足場板２６は伸縮梯子２５の上に重ねて組み合わされた状態で使用される。伸縮梯子２５が主に通路部材２１の強度を担い、伸縮足場板２６は主に人が通行するための平面を提供する。もちろん、伸縮梯子２５と伸縮足場板２６とが一体物となったものを用いてもよいが、このように、梯子２５と足場板２６とを別部材にするほうが、一部品が軽量化されて搬送が容易となるので好ましい。
【００３０】
縮短された状態の伸縮梯子２５は図５に示されている。伸縮梯子２５は、内径が異なり且つほぼ同一長さの複数本の円筒２７ａが入れ子式に組み合わされた円筒支柱２７が左右一対に配置され、左右の各円筒２７ａの先端同士を連結するように横桟２８が架け渡されている。この左右の円筒支柱２７を伸ばすと、横桟２８がほぼ一定間隔に配置された状態となる（図３および図７参照）。なお、図７では理解容易のために手摺り２３を一部切り欠いている。
【００３１】
最先端および基端の横桟を除く各横桟２８の両端部には、各円筒２７ａの基端部近傍に形成された係合孔（図示せず）に弾力的に嵌入して係合しうる係合ピン２９（図５）、および、この係合ピン２９を後退させてその係合を解く解除レバー（図示せず）が配設されている。そして、各円筒２７ａが引き出され状態で係合ピン２９が上記係合孔に嵌入するようにされている。そうすることにより、円筒支柱２７が伸長状態（最大長となった状態）で各円筒２７ａ同士が固定され、伸縮梯子２５が伸長状態に保持される。伸縮梯子２５を縮短するときには解除レバーを操作して係合ピン２９の係合を解きつつ各円筒２７ａを入れ子式に大内径の円筒２７ａ内に挿入していけばよい。
【００３２】
縮短された状態の伸縮足場板２６は図６に示されている。伸縮足場板２６は、複数本の棒状部材３１ａが所定間隔を置いて平行に配置された第一足場板３１と、同様に複数本の棒状部材３２ａが所定間隔を置いて平行に配置された第二足場板３２とを備えており、一方の足場板３１（３２）の棒状部材３１ａ（３２ａ）同士の間に、他方の足場板３２（３１）の棒状部材３２ａ（３１ａ）がそれぞれ挿入された状態で組み合わされている。第一足場板３１および第二足場板３２の外方端部においては、それぞれ、連結部材３０によって棒状部材３１ａ、３２ａ同士が所定間隔で固定されており、内方端部においては、それぞれ、バンドプレート３３によって棒状部材３１ａ、３２ａ同士が所定間隔で固定されている。一方の足場板３１（３２）のバンドプレート３３には、他方の足場板３２（３１）の棒状部材３２ａ（３１ａ）が挿入される空間が形成されている。
【００３３】
図６に示すように、第一足場板３１の一の棒状部材３１ａの先端部近傍、および、第二足場板３２の一の棒状部材３２ａの基端部近傍には、それぞれ伸長時ストッパ３４が形成されている。また、第一足場板３１の上記棒状部材３１ａの基端部、および、第二足場板３２の上記棒状部材３２ａの先端部には、それぞれ縮短時ストッパ３５が形成されている。一方の足場板３１（３２）の伸長時ストッパ３４は、伸縮足場板２６が伸長されたときに、他方の足場板３２（３１）のバンドプレート３３の内側に当接し、それによって伸長時の位置決めがなされる。また、一方の足場板３１（３２）の縮短時ストッパ３５は、伸縮足場板２６が縮短されたときに、他方の足場板３２（３１）のバンドプレート３３の外側に当接し、それによって縮短時の位置決めがなされる。
【００３４】
図６に示すように、第二足場板３２の一の棒状部材３２ａの基端部近傍には、第一足場板３１と第二足場板３２とを互いに固定したり、相互の移動（伸縮足場板２６の伸縮動作）を許容するためのロック手段３６が配設されている。このロック手段３６は、第一足場板３１の対向する棒状部材３１ａに設置されたラック（図示せず）と、このラックに係合、離脱しうる咬合歯（図示せず）と、この咬合歯の係合離脱操作をするための操作体（図示せず）を備えている。このロック手段３６を操作することによって伸縮足場板２６の長さを調節して固定することができる。
【００３５】
図８〜図１３を参照しつつ、組み立てブラケット２２を説明する。図８に示すように、組み立てブラケット２２は、互いの端部同士が枢支ボルト３７で枢支されることによって相互に回動自在且つ分離可能に連結された固定用部材３８と回動部材３９とを有している。本実施形態では、固定用部材３８は長尺のアングル鋼から形成され、回動部材３９は長尺のチャンネル鋼から形成されているが、この材料に限定はされない。しかし、いずれもこのような長尺部材とすることによって重ね合わせた状態でも棒状となるので、搬送が容易となる。
【００３６】
固定用部材３８は、駐車塔２の取り付け目的場所における適当な構造材に固定するための部材である。回動部材３９には前述の通路部材２１の端部を取り付けられ、その結果、通路部材２１が固定用部材３８に対して旋回可能となる。本実施形態では、上記固定用部材３８を棚柱１６に固定することとしているが、これは、昇降路４を挟んで左右に配置されたパレット５間を作業者が通路部材２１を通って移動することを目的としているからであり、とくに棚柱に限定するものではない。
【００３７】
固定用部材３８の背面には、Ｈ形鋼からなる棚柱１６のフランジ部の端縁に係合するためのＬ字爪４０が形成されている（図１０および図１２も併せて参照）。このＬ字爪４０を棚柱１６に係合した上で、固定用部材３８の端部と棚柱１６のフランジ部の他方の端縁とをコ字状のボルト止めクランプ４１によって弱く挟持する。こうすると、固定用部材３８は棚柱１６に対して少なくとも水平方向には移動不可能な仮止め状態となる。なお、固定用部材３８の形状、Ｌ字爪４０の形成位置、クランプ４１の形状や大きさ等は、固定用部材３８の取付対象に応じて容易に変更することができる。
【００３８】
回動部材３９は、固定用部材３８に対して、固定用部材３８と互いに重なり合う収容位置（図８（ｂ）、図１１、図１２）と、固定用部材３８とほぼ９０゜をなす開き位置（図８（ａ）、図９、図１０）との間を回動自在にされている。収容位置では、回動部材３９のコ字状横断面の中に固定用部材３８が入り込む状態となる。回動部材３９の固定用部材３８に対向する側を対向面とよび、その反対側の鉛直面を背面と呼ぶ。
【００３９】
固定用部材３８の上面における、枢支点近傍には、回動部材３９が開き位置に至ったときに当接してそれ以上の回動を阻止するためのストッパ４２が形成されている。本実施形態では９０゜を開き位置の角度としているが、この角度に限定されない。移動用足場の仮設位置に応じて変更することは容易である。また、回動部材３９が収容位置にあるときには、固定用部材３８と回動部材３９とは、互いに対応する位置に形成された固定用ピン孔３８ａ、３９ａに固定ピン４３を挿入することによって、両者３８、３９は互いに回動不能に固定される。
【００４０】
固定用部材３８の鉛直部には板状の高さ位置決め部材４４が鉛直面内に回動可能に枢支されている。この高さ位置決め部材４４は、図１３にも示すように、固定用部材３８に枢支された鉛直板４４ａと、鉛直板４４ａの先端に蝶番４４ｂを介して揺動可能に連結された下半板４４ｃとから構成されている。この高さ位置決め部材４４は、通常は固定用部材３８と重なり合う収容位置にある（図１０および図１３に二点鎖線で示す）。本実施形態では、図１３に示すように、この下半板４４ｃは鉛直板４４ａの背面側に折り畳まれた状態で収容されており、約２７０゜揺動させることによってパレット側へ水平状態になる。下半板４４ｃを鉛直板４４ａの背面側に折り畳むように構成したことにより、固定用部材３８に回動部材３９を収容した状態でも、下半板４４ｃを折り畳むことができ、その状態のまま鉛直板４４ａを水平に収納することができる。その結果、組み立てブラケット２２は容易にコンパクトにすることができる。そして、固定用部材３８を棚柱１６に取り付けるとき、駐車棚のパレット５の上面からの高さ調節を行うときに、鉛直下方を向くように回動させられる（図８（ａ）、図１０に実線で示す）。鉛直板４４ａを鉛直下方に向けたときに、それ以上の回動を阻止するためのストッパ４５が固定用部材３８に形成されている。鉛直板４４ａを鉛直下方に向けた後、下半板４４ｃを回動させてパレット５の車路面５ｃに当接させる（図１３）。この下半板４４ｃが鉛直板４４ａとほぼ直角をなす位置となるように仮止め状態の固定用部材３８を上下に動かす。下半板４４ｃが鉛直板４４ａとほぼ直角をなす位置が固定用部材３８の固定位置と決められている。
【００４１】
この上下方向の固定位置は、最終的に回動部材３９に取り付けられた通路部材２１が、ちょうどパレット５の両側端縁に形成された側端隆起部５ａに載置されるような位置となる。換言すれば、固定用部材３８と回動部材３９とを枢支している枢支ボルト３７の下端がパレット５の側端隆起部５ａの上面に当接するか、当接寸前の位置である。
【００４２】
回動部材３９の背面には、伸縮梯子２５の円筒支柱２７を挿入して取り付けるための一対の水平円筒部材４６が水平外方に向けて突設されている。この水平円筒部材４６に円筒支柱２７の基端部が挿入され、留めピン４７（図５および図６参照）によって抜け止めされる。符号４６ａはピン孔である。また、回動部材３９の上面には、伸縮足場板２６の連結部材３０の端部を挿入して取り付けるための一対の角形ブラケット４８が外方に向けて開くように配設されている。この角形ブラケット４８に伸縮足場板２６の連結部材３０が挿入され、留めピン４９（図６参照）によって抜け止めされる。符号４８ａはピン孔である。このようにして、通路部材２１が回動部材３９に取り付けられる。
【００４３】
図４および図５に示すように、回動部材３９の上面には上記手摺り２３を立設するための手摺り嵌着円筒部材５０が上方に向けて突設されている。また、前述した伸縮梯子２５の円筒支柱２７の先端部にも手摺り２３を立設するための可動円筒部材５１が配設されている。この可動円筒部材５１の手摺り嵌着部５１ａは、円筒支柱２７の先端部にその軸回りに回転可能に嵌着された取着用円筒部材５１ｂに直角に立設されている。そして、この取着用円筒部材５１ｂを円筒支柱２７の軸回りに回転させることにより、この手摺り嵌着部５１ａを水平状態の収容位置と鉛直上方を向いた使用位置とに変位させることができる。円筒支柱２７と取着用円筒部材５１ｂとには、その収容位置および使用位置それぞれにおいて、固定ピンによって位置決めしうるようにピン用孔５１ｃが形成されている。また、手摺り嵌着円筒部材５０および可動円筒部材の手摺り嵌着部５１ａと、後述する手摺りの脚部２３ｂとには、互いの抜け止めを防止するための固定ピンを挿入するピン孔５２が形成されている。
【００４４】
この可動円筒部材５１には対向する駐車棚のパレットに係合させるための屈曲斜板５３が固設されている。この屈曲斜板５３は手摺り嵌着部５１ａと反対方向に向けて屈曲されており、取着用円筒部材５１ｂを回転させることにより、水平状態の収容位置と鉛直下方を向いた使用位置とに変位させることができる。
【００４５】
図４に示すように、手摺り２３は、着脱可能に嵌挿連結されうる一対のパイプ状水平部２３ａと、この水平部２３ａそれぞれに着脱可能に嵌挿連結される一対のパイプ状脚部２３ｂとを備えている。水平部２３ａ同士の連結および水平部２３ａと脚部２３ｂとの連結は、パイプの相互嵌挿によるため、ワンタッチで着脱することができる。また、この脚部２３ｂは、その下端が前述した手摺り嵌着円筒部材５０と可動円筒部材の手摺り嵌着部５１ａとに嵌挿され得るサイズにされている。そして、脚部２３ｂの下端近傍並びに手摺り嵌着円筒部材５０および手摺り嵌着部５１ａには、対応するピン孔５０ａ、５１ｄが形成されており、固定ピンによって抜け止め可能にされている。各脚部２３ｂが手摺り嵌着円筒部材５０および手摺り嵌着部５１ａに嵌着され、相互連結された一対の水平部２３ａがこれら各脚部２３ｂに連結されることにより、手摺り２３が通路部材２１に取り付けられることになる。
【００４６】
図４および図１４には、前述した移動用足場２０の搬送装置２４が示されている。図１４は図４のＸＩＶ−ＸＩＶ線矢視図である。この搬送装置２４は、手動ウインチ５４と、この手動ウインチ５４が取り付けられる支持部材５５と、手動ウインチ５４によって巻き取られ且つ繰り出されるワイヤーロープ５６と、支持部材５５の先端部に取り付けられるワイヤーロープ５６転向用の吊持滑車５７と、ワイヤーロープ５６の先端に取り付けられたフック５８とを備えている。吊持滑車５７は支持部材５５の先端部に対して鉛直軸回りに回転自在に取り付けられている。本実施形態における支持部材５５は、アングル鋼等から形成された水平部５５ａ、下斜辺部５５ｂ、および、水平部５５ａと下斜辺部５５ｂとを連結する鉛直リンク部５５ｃからほぼ三角形のフレーム状に形成されている。これらの部材５５ａ、５５ｂ、５５ｃはボルト等によって互いに分解可能に組み立てられる。もちろん、支持部材５５は三角形に限定されず、材料もアングル鋼に限定されない。製造、搬送、ウインチの取り付け、棚柱１６等への着脱が容易で、安価であればいかなるものを用いてもよい。
【００４７】
図１４に示すように、上記支持部材５５の基端部近傍の背面にはＬ字爪５９が形成されている。このＬ字爪５９を棚柱１６のフランジ部の端縁に係合した上で、支持部材５５の基端部と棚柱１６のフランジ部の他方の端縁とをコ字状のボルト止めクランプ６０によって挟持する。また、三角形の支持部材５５の下斜辺部５５ｂの下端が棚柱１６に当接し、外力（モーメント）を支持している。このようにして、支持部材５５は、その先端部が対向する駐車棚（図示では左側の駐車棚）に向けて突出するように、その基端部が棚柱１６に取り付けられる。上記手動ウインチ５４は支持部材５５の基端部近傍に取り付けられる。
【００４８】
以上説明した移動用足場２０をエレベータ式駐車装置１に仮設する方法を説明する。
【００４９】
搬送装置２４は、必要であればその構成部品である水平部５５ａ、下斜辺部５５ｂ、鉛直リンク部５５ｃ、手動ウインチ５４、フック５８付きワイヤーロープ５７を必要なレベルまで分割して軽量コンパクトな部品の状態にしておいてもよい。こうすれば、上層階のパレット５上までの搬送が容易となる。移動用足場２０は、入出庫階７等において、これらを構成する各部材を必要な程度にまで分割して軽量コンパクトな部品としておく。たとえば、組み立てブラケット２２はその枢支ボルト３７を外して固定用部材３８と回動用部材３９とに分割された状態にしておいてもよい。また、手摺り２３を水平部２３ａおよび脚部２３ｂに分割された状態にしておく。これら手摺り２３の部品は分割した上で複数個をまとめてロープやベルトで固縛しておいてもよい。通路部材２１の伸縮梯子２５と伸縮足場板２６とは分離状態のままにしておく。以上のそれぞれの部品はフック５８を係合し易くするためにロープやベルトで縛るか、袋等に収納しておく。
【００５０】
作業者の一人が上記搬送装置２４を組み立て状態または部品の状態で携行して右側の梯子１７を昇り、所望階の右側駐車棚の空パレット５上に乗り移る。部品の状態で搬送した場合には、これらの部品を所定のパレット５上で組み立てて搬送装置２４を完成させる。そこで、搬送装置２４の支持部材５５を上記Ｌ字爪５９とボルト止めクランプ６０とによって内側棚柱１６ａに挟持して固定する（図４および図１４参照）。なお、棚柱１６ａへの固定は、搬送装置２４を組み立て終わってから行ってもよい。搬送装置２４の固定位置は、ウインチ５４の操作がし易いようにパレット５の上面からの高さを決定する（たとえば約１２０〜１５０ｃｍ）。ついで、フック５８を地上（入出庫階）まで降ろし、階下の作業者との連係により、小分けされた通路部材２１の構成部品を手動ウインチ５４を使ってパレット上に搬入する。
【００５１】
パレット上において、回動部材３９が収容状態にある組み立てブラケット２２の固定用部材３８を、前述したようにＬ字爪４０とボルト止めクランプ４１とによって棚柱１６ａに挟持して仮止めする（図８（ｂ））。この仮止め位置は、組み立てブラケット２２の上面がパレット５の車路面５ｃから所定高さ（たとえば２０ｃｍ以上）となるようにする。これは、パレット上で通路部材２１を旋回可能にするために、組み立てブラケット２２をパレット５の側端隆起部５ａや中央凸部５ｂの上面より高い位置にするためである。
【００５２】
ついで、組み立てブラケット２２から固定ピン４３を抜き取り、左端の枢支ボルト３７を中心に回動部材３９を収容位置から水平回動させて開く。固定用部材３８に取り付けられた高さ位置決め部材４４をストッパ４５に当接するまで鉛直下方に回動させつつ、その下半板４４ｃを鉛直板４４ａの裏側から前方へ回動させておく。その後で、下半板４４ｃが車路面５ｃに当接して水平状となり、枢支ボルト３７の下端がパレットの側端隆起部５ａの上面に当接するか当接寸前の状態となるまで組み立てブラケット２２を下方へ摺動させる。そして、クランプ４１を強く締めて組み立てブラケット２２を棚柱１６ａに固定する（図８（ａ）、図９、図１０、図１３）。このとき、組み立てブラケット２２の上面がパレット５の車路面５ｃから所定高さ（図１３におけるｈであり、たとえば約２０ｃｍ）となる。
【００５３】
ついで、回動部材３９をもとの収容位置まで水平回動させる（図１１、図１２）。伸縮梯子２５の両円筒支柱２７の基端部を回動部材３９の左右の水平円筒部材４６に嵌挿し、留めピン４７によってそれぞれを固定する（図５）。円筒支柱２７の入れ子式の円筒２７ａを一段ずつ順次伸長させて所定長（最大伸長）とする。このとき、伸縮梯子２５はパレット５の昇降路側車路面５ｃ上をその長手方向に伸びている。この過程で、各横桟２８の係合ピン２９を各円筒２７ａの係合孔に嵌入係合させて円筒２７ａ同士を固定する。両円筒支柱２７の先端に水平状態の収容位置にある可動円筒部材５１をほぼ９０゜回転させることにより、係合用の屈曲斜板５３を下方に、手摺り嵌着部５１ａを上方に向ける（図５に二点鎖線で示す）。そして、ピン孔５２に固定ピンを挿入して固定する。
【００５４】
ついで、伸縮足場板２６を伸縮梯子２５の上に載置し、回動部材３９の両角形ブラケット４８に伸縮足場板２６の一端側の連結部材３０の左右両端を挿入し、留めピン４９によって抜け止めする（図６）。そして、他端側の連結部材３０を引っ張り、上記バンドプレート３３が伸長時ストッパ３４に当接するまで伸縮足場板２６を伸長させ、上記ロック手段３６によって最大伸長状態に固定する（図７）。最大伸長状態の伸縮足場板２６と伸縮梯子２５とはほぼ同一長さになるように構成されている。このとき、伸縮足場板２６はパレット５の長手方向に伸びている。そして、両者２６、２５が重ね合わされた状態で一体化するために、それらの先端を固定用ベルト６１によって固縛する（図７において二点鎖線で示す）。
【００５５】
ついで、上方に突出した手摺り嵌着円筒部材５０と手摺り嵌着部５１ａとに手摺り２３の脚部２３ｂの下端を挿着し、固定ピンによって抜け止めする。手摺りの対の水平部２３ａをそれぞれ上記脚部２３ｂの上端に挿着し、また、水平部２３ａの端部同士を嵌挿連結することにより、左右一対の手摺り２３が通路部材２１の長手方向に沿うように取り付けられる（図３、図４）。以上の作業により、移動用足場２０はパレット５の昇降路側車路面５ｃ上にその長手方向に伸びた状態で、一連の組み立て作業が完了する（図７に実線で示す）。
【００５６】
つぎに、移動用足場２０を左右の駐車棚のパレット５間に架け渡す作業を説明する。前述した搬送装置２４のフック５８を通路部材２１先端の固定用ベルト６１にひっかける。搬送装置２４の支持部材５５は、棚柱１６ａに固定された状態でその先端の吊持滑車５７の位置（図７に二点鎖線で示す）が、パレット５の長手方向に伸びた通路部材２１の昇降路４側端縁より昇降路４側に突出するような長さにされている。また、この吊持滑車５７の位置は通路部材２１より高くなる。したがって、手動ウインチ５４によってワイヤーロープ５６の巻き取り操作をすると、通路部材２１の先端部がパレット車路面５ｃから持ち上げられて側端隆起部５ａより若干高い位置となる。しかも、前述のとおり搬送装置２４の吊持滑車５７が通路部材２１より昇降路４側に偏って配置されているので、通路部材２１が上記回動部材３９の枢支点（枢支ボルト３７の位置）を中心として昇降路４側に引っ張られて旋回することになる（図７）。したがって、対向する左側のパレット５に向けて通路部材２１を押し出す作業が不要となる。必要に応じて、作業者が手摺り２３等を支えながら旋回速度を制御してもよい。
【００５７】
通路部材２１がほぼ９０゜旋回したときに上記回動部材３９が固定用部材３８のストッパ４２（図３、図９）に当接して旋回が停止する。このとき、通路部材２１は昇降路４を跨いで、その先端が対向する左側のパレット５の昇降路側の側端隆起部５ａの真上に位置する。通路部材２１はそのような長さに形成されている。したがって、ウインチのワイヤーロープ５６を若干繰り出すと、通路部材２１の先端が下降して上記屈曲斜板５３が左側のパレット５の上記側端隆起部５ａに係合する（図３、図４）。以上の操作により、通路部材２１が左右のパレット５間に架橋される。あとは、作業者が通路部材２１を通って左側のパレット５に移り、フック５８を固定用ベルト６１から外せばよい。通路部材２１はこの状態でその先端側が若干下がり傾斜となるものの安全通行には支障はない。しかし、厳密な水平状態を確保しようとするなら、手動ウインチ５４によって通路部材２１の先端を少し持ち上げ、パレット側端隆起部５ａとの間に高さ調整用の枕木等を介装すればよい。
【００５８】
つぎに、左右のパレット５間に架け渡された通路部材２１を回収する場合、ウインチのワイヤーロープ５６のフック５８を再度上記固定用ベルト６１に引っかける。ついで、作業者が右側のパレット５上で、ワイヤーロープ５６を引っ張って通路部材２１の先端を若干持ち上げる。そうすると、屈曲斜板５３が左側パレットの側端隆起部５ａから外れる。作業者はワイヤーロープ５６を引き戻しながら、パレットの組み立てブラケット２２と反対側の端部（図７における下側）に向けて移動する。そうすると、通路部材２１の先端が右側パレット５の方向に引かれて旋回する。そして、右側パレット５上のもとの位置に戻る。その後は、上記固定用ベルト６１を外し、前述した通路部材２１の組み立て作業および組み立てブラケット２２の取付作業の各工程をその逆の流れで実施すればよい。そして、分解された通路部材２１や組み立てブラケット２２の各部品は適当にまとめて、搬送装置２４によって階下に戻せばよい。最後に、搬送装置２４を棚柱１６ａから取り外して分解し、これらを作業者が携帯して梯子を伝って階下に運ぶ。
【００５９】
以上の移動用足場２０については、車両搭載用のパレットを装備したエレベータ式駐車装置に適用する例を示したが、本発明の適用はかかる駐車装置に限定されない。組み立てブラケット２２を取り付ける対象、通路部材２１の先端を支持しうる対象、および、通路部材を水平に旋回しうるスペースがあれば如何なる構造物、建造物にも適用することができる。
【産業上の利用可能性】
【００６０】
本発明の移動用足場によれば、上下スペースが多数段に区切られた狭いところでも、その通路部材を水平面内に回動させることができるので、容易に所望位置に架け渡すことができる。また、伸縮可能であるため、搬送および取扱いが容易となる。したがって、エレベータ式駐車装置等への仮設に好適に適用することができる。
【図面の簡単な説明】
【００６１】
【図１】本発明の移動用足場が適用されうる対象の一例としてのエレベータ式駐車装置を示す縦断面図である。
【図２】図１のＩＩ−ＩＩ線断面図であり、駐車棚が配設された駐車階およびエレベータを示す平面図である。
【図３】同一階の左右の駐車棚のパレット間に架け渡された状態の、本願発明の移動用足場の一実施形態を示す平面図である。
【図４】図３のＩＶ−ＩＶ線矢印方向に見た移動用足場の側面図である。
【図５】図１の駐車装置の右側の駐車棚のパレットに配置された、縮短された状態の伸縮梯子の一例を示す平面図である。
【図６】図５の伸縮梯子の上に配置された縮短された状態の伸縮足場板を示す平面図である。
【図７】図１の駐車装置の右側の駐車棚のパレットに配置された、伸長された状態の通路部材（伸縮梯子および伸縮足場板が重ね合わされたもの）を示す平面図である。
【図８】本発明の移動用足場の一構成部品である組み立てブラケットの一例を示す斜視図であり、図８（ａ）は開いた状態を示し、図８（ｂ）は閉じた状態を示している。
【図９】図８の組み立てブラケットの９０゜開いた状態を示す平面図である。
【図１０】図９の組み立てブラケットの正面図である。
【図１１】図８の組み立てブラケットの９０゜開いた状態を示す平面図である。
【図１２】図１１の組み立てブラケットの正面図である。
【図１３】図１０のＸＩＩＩ−ＸＩＩＩ線断面図である。
【図１４】図４のＸＩＶ−ＸＩＶ線矢印方向に見た搬送装置の平面図である。
【符号の説明】
【００６２】
１・・・・駐車装置
２・・・・駐車塔
３・・・・エレベータ
４・・・・昇降路
５・・・・パレット
６・・・・駐車棚
７・・・・入出庫階
８・・・・ワイヤーロープ
９・・・・カウンターウエイト
１０・・・・機械室
１１・・・・昇降駆動装置
１２・・・・主柱
１３・・・・梁
１４・・・・ブレース
１５・・・・外壁パネル
１６・・・・棚柱
１７・・・・梯子
２０・・・・移動用足場
２１・・・・通路部材
２２・・・・組み立てブラケット
２３・・・・手摺り
２４・・・・搬送装置
２５・・・・伸縮梯子
２６・・・・伸縮足場板
２７・・・・円筒支柱
２８・・・・横桟
２９・・・・係合ピン
３０・・・・連結部材
３１、３２・・・・足場板
３３・・・・バンドプレート
３４・・・・伸長時ストッパ
３５・・・・縮端時ストッパ
３６・・・・ロック手段
３７・・・・枢支ボルト
３８・・・・固定用部材
３９・・・・回動部材
４０・・・・Ｌ字爪
４１・・・・クランプ
４２・・・・ストッパ
４３・・・・固定ピン
４４・・・・高さ位置決め部材
４５・・・・ストッパ
４６・・・・水平円筒部材
４７・・・・留めピン
４８・・・・角形ブラケット
４９・・・・留めピン
５０・・・・手摺り嵌着円筒部材
５１・・・・可動円筒部材
５２・・・・ピン孔
５３・・・・屈曲斜板
５４・・・・手動ウインチ
５５・・・・支持部材
５６・・・・ワイヤーロープ
５７・・・・吊持滑車
５８・・・・フック
５９・・・・Ｌ字爪
６０・・・・クランプ
６１・・・・固定用ベルト
Ｍ・・・・車両
【図１】
2008095373.tif 000003
【図２】
2008095373.tif 000004
【図３】
2008095373.tif 000005
【図４】
2008095373.tif 000006
【図５】
2008095373.tif 000007
【図６】
2008095373.tif 000008
【図７】
2008095373.tif 000009
【図８】
2008095373.tif 000010
【図９】
2008095373.tif 000011
【図１０】
2008095373.tif 000012
【図１１】
2008095373.tif 000013
【図１２】
2008095373.tif 000014
【図１３】
2008095373.tif 000015
【図１４】
2008095373.tif 000016